(57)【要約】【課題】換気扇が利用可能な場合には換気扇を有効に使って煙を室外へ排煙でき、換気扇が利用できない場合にはフィルタで煙を吸着処理できる排煙装置の提供。【解決手段】  排煙装置Ａは、腕部１１を有するスタンド１と、ブロワを排煙通路内に配するとともに、径大筒部２４と径小筒部２５とを同軸状に上面側に形成し、腕部１１に懸下されるブロワケーシング２と、このブロワケーシング２の下部に取り付けられる煙案内ガイド３とを備え、排煙ホース４が届く範囲に換気扇４１が有る場合には、ホース基端４２を径小筒部２５に嵌め込み、ホース先端４３を換気扇４１の近傍に臨ませて排煙を行い、換気扇４１が近くに無い場合には、内部に煙吸着剤を封入したフィルタをブロワケーシング２に取り付けて排煙処理を行う。【選択図】図１
2005090841.tif 000002
【特許請求の範囲】
【請求項１】
水平に延設する腕部を有するスタンドと、
排煙通路内に電動式のブロワを配するとともに、この排煙通路へ連通する径小筒部をケーシング上面側に形成し、前記腕部に懸下されるブロワケーシングと、
このブロワケーシングの下部に取り付けられ、下方に向かって断面積が増大する笠状の煙案内ガイドと、
換気扇の近傍にホース先端が臨み、前記径小筒部にホース基端が嵌め込まれる排煙ホースとを備え、排煙必要時に床や机の上に載置して使用することを特徴とする排煙装置。
【請求項２】
水平に延設する腕部を有するスタンドと、
排煙通路内に電動式のブロワを配するとともに、径大筒部と前記排煙通路へ連通する径小筒部とを同軸状にケーシング上面側に形成し、前記腕部に懸下されるブロワケーシングと、
このブロワケーシングの下部に取り付けられ、下方に向かって断面積が増大する笠状の煙案内ガイドと、
煙吸着剤が中空の内部に封入されるとともに、フィルタ下面の中央に設けられる連通穴付きの凹部を前記径大筒部へ嵌め込むことにより前記ブロワケーシングに取り付けられるフィルタとを備え、排煙必要時に床や机の上に載置して使用することを特徴とする排煙装置。
【請求項３】
水平に延設する腕部を有するスタンドと、
排煙通路内に電動式のブロワを配するとともに、径大筒部と前記排煙通路へ連通する径小筒部とを同軸状にケーシング上面側に形成し、前記腕部に懸下されるブロワケーシングと、
このブロワケーシングの下部に取り付けられ、下方に向かって断面積が増大する笠状の煙案内ガイドとを備え、排煙必要時に床や机の上に載置して使用する排煙装置であって、  排煙ホースの基端を前記径小筒部に嵌め込むとともに、先端を換気扇の近傍に臨ませて使用するか、
フィルタ下面の中央に設けられる連通穴付きの凹部を前記径大筒部へ嵌め込むことにより、中空の内部に煙吸着剤を封入したフィルタを前記ブロワケーシングに取り付けて使用することを特徴とする排煙装置。
【請求項４】
前記フィルタは、底板部、この底板部から上方向へ延設し周壁に複数の連通穴を形成したドーム状部、このドーム状部を同軸状に包囲する内円筒部を有する基部部材と、
前記ドーム状部の上端面に網下面が支持され、内円筒部内に配される網と、
網上に配される活性炭と、
外周に複数の空気吹出穴を形成し前記内円筒部より径大な円筒部、この円筒部の上部を塞ぐ天板部からなる蓋部材とにより構成されることを特徴とする請求項２または請求項３に記載の排煙装置。
【請求項５】
煙突を立設した天板と、上端が前記天板に連結され、煙吹き込み口が正面に開口する立設板とを備え、後方に向かって斜面の高さが高くなっていく傾斜板を内底側に配設した煙案内補助具を、前記煙案内ガイドの下方に配置したことを特徴とする請求項１または請求項３に記載の排煙装置。
【請求項６】
前記煙吹き込み口は、手動または電動で開閉可能な扉であることを特徴とする請求項５に記載の排煙装置。
【発明の詳細な説明】
【技術分野】
【０００１】
本発明は、排煙装置に関するものである。
【背景技術】
【０００２】
特許文献１には、コンロ設置台に固定されるスタンドに支持される排煙ガイド内に、煙の粒子を吸着除去するフィルタと、モータにより駆動し煙を吸引するファンとを配置した焼き肉等用の排煙装置が記載されている。
また、特許文献２には、排気フードから吸い込んだ煙草の煙を、排気処理チャンバー内に送り込んで浄化する煙草の煙等の処理装置が記載されている。
【特許文献１】特開平５−２３１６８９号公報（第２−３頁、図１）
【特許文献２】特開平５−１８５７９号公報（第２−４頁、図１、図３）
【発明の開示】
【発明が解決しようとする課題】
【０００３】
解決しようとする問題点は、下記の点である。
特許文献１の排煙装置や特許文献２の煙草の煙等の処理装置は、可搬性に劣り、排煙や煙処理が必要な場所への設置が面倒である。また、汎用性に劣り、焼肉等の煙処理か煙草の煙処理の内、一方の処理のみに対応している。
【０００４】
本発明の第１の目的は、可搬性に優れ、排煙必要時に床や机の上に容易に載置して排煙動作を行うことができる排煙装置の提供にある。
【０００５】
本発明の第２の目的は、換気扇が利用可能な場合には換気扇を有効に使って煙を室外へ排煙でき、換気扇が利用できない場合にはフィルタで煙を吸着処理できる排煙装置の提供にある。
【課題を解決するための手段】
【０００６】
本発明は、上記課題を解決するため、下記に示す構成を採用した。
［請求項１］
排煙装置は、水平に延設する腕部を有するスタンドと、排煙通路内に電動式のブロワを配するとともに、この排煙通路へ連通する径小筒部をケーシング上面側に形成し、前記腕部に懸下されるブロワケーシングと、このブロワケーシングの下部に取り付けられ、下方に向かって断面積が増大する笠状の煙案内ガイドと、換気扇の近傍にホース先端が臨み、前記径小筒部にホース基端が嵌め込まれる排煙ホースとを備え、排煙必要時に床や机の上に載置して使用することを特徴とする。
【０００７】
［請求項２］
排煙装置は、水平に延設する腕部を有するスタンドと、排煙通路内に電動式のブロワを配するとともに、径大筒部と前記排煙通路へ連通する径小筒部とを同軸状にケーシング上面側に形成し、前記腕部に懸下されるブロワケーシングと、このブロワケーシングの下部に取り付けられ、下方に向かって断面積が増大する笠状の煙案内ガイドと、煙吸着剤が中空の内部に封入されるとともに、フィルタ下面の中央に設けられる連通穴付きの凹部を前記径大筒部へ嵌め込むことにより前記ブロワケーシングに取り付けられるフィルタとを備え、排煙必要時に床や机の上に載置して使用することを特徴とする。
【０００８】
［請求項３］
排煙装置は、水平に延設する腕部を有するスタンドと、排煙通路内に電動式のブロワを配するとともに、径大筒部と前記排煙通路へ連通する径小筒部とを同軸状にケーシング上面側に形成し、前記腕部に懸下されるブロワケーシングと、このブロワケーシングの下部に取り付けられ、下方に向かって断面積が増大する笠状の煙案内ガイドとを備え、排煙必要時に床や机の上に載置して使用する排煙装置であって、排煙ホースの基端を前記径小筒部に嵌め込むとともに、先端を換気扇の近傍に臨ませて使用するか、フィルタ下面の中央に設けられる連通穴付きの凹部を前記径大筒部へ嵌め込むことにより、中空の内部に煙吸着剤を封入したフィルタを前記ブロワケーシングに取り付けて使用することを特徴とする。
【０００９】
［請求項４］
排煙装置は、請求項２または請求項３の構成を有し、底板部、この底板部から上方向へ延設し周壁に複数の連通穴を形成したドーム状部、このドーム状部を同軸状に包囲する内円筒部を有する基部部材と、前記ドーム状部の上端面に網下面が支持され、内円筒部内に配される網と、網上に配される活性炭と、外周に複数の空気吹出穴を形成し前記内円筒部より径大な円筒部、この円筒部の上部を塞ぐ天板部からなる蓋部材とによりフィルタが構成されることを特徴とする。
【００１０】
［請求項５］
排煙装置は、請求項１または請求項３の構成を有し、煙突を立設した天板と、上端が前記天板に連結され、煙吹き込み口が正面に開口する立設板とを備え、後方に向かって斜面の高さが高くなっていく傾斜板を内底側に配設した煙案内補助具を、前記煙案内ガイドの下方に配置したことを特徴とする。
【００１１】
［請求項６］
排煙装置は、請求項５の構成を有し、前記煙吹き込み口が、手動または電動で開閉可能な扉であることを特徴とする。
【発明の効果】
【００１２】
［請求項１について］
排煙必要時に、スタンドを床や机の上に載せて排煙装置を載置する。
排煙通路内に配した電動式のブロワを作動させると、煙が笠状の煙案内ガイド内へ吸い込まれる。
煙案内ガイド内へ吸い込まれた煙はブロワケーシング内に入り、排煙ホース内を通って換気扇の近傍に臨むホース先端から吐出し、換気扇から屋外へ排煙される。
排煙装置は、可搬性に優れ、排煙必要時に床や机の上に容易に載置することができる。この排煙装置は、排煙ホースが届く範囲に換気扇が存在する場合に、換気扇を有効に使って煙を室外へ排煙することができる。
【００１３】
［請求項２について］
排煙必要時に、スタンドを床や机の上に載せて排煙装置を載置する。
排煙通路内に配した電動式のブロワを作動させると、煙が笠状の煙案内ガイド内へ吸い込まれる。
煙案内ガイド内へ吸い込まれた煙は、ブロワケーシング内に入り、凹部の連通穴からフィルタの中空の内部に入り、封入された煙吸着剤に吸着する。
排煙装置は、可搬性に優れ、排煙必要時に床や机の上に容易に載置することができる。この排煙装置は、排煙ホースが届く範囲に換気扇が存在しない場合に、煙をフィルタで吸着処理することができる。
【００１４】
［請求項３について］
排煙必要時に、スタンドを床や机の上に載せて排煙装置を載置する。
排煙ホースが届く範囲に換気扇が有る場合は、ブロワケーシングの径小筒部に排煙ホースのホース基端を嵌め込むとともに、換気扇の近傍にホース先端を臨ませる。そして、排煙通路内に配した電動式のブロワを作動させると、煙が笠状の煙案内ガイド内へ吸い込まれる。煙案内ガイド内へ吸い込まれた煙はブロワケーシング内に入り、排煙ホース内を通って換気扇の近傍に臨むホース先端から吐出し、換気扇から屋外へ排煙される。
【００１５】
排煙ホースが届く範囲に換気扇が無い場合は、フィルタ下面の中央に設けられる連通穴付きの凹部を径大筒部へ嵌め込んで、中空の内部に煙吸着剤を封入したフィルタをブロワケーシングに取り付ける。そして、排煙通路内に配した電動式のブロワを作動させると、煙が笠状の煙案内ガイド内へ吸い込まれる。煙案内ガイド内へ吸い込まれた煙はブロワケーシング内に入り、凹部の連通穴からフィルタの中空の内部に進入し、封入された煙吸着剤に吸着する。
【００１６】
排煙装置は、一基で二通りの機能を有し、排煙ホースが届く範囲に換気扇が有る場合には、換気扇から屋外へ排煙できるとともに、近くに換気扇が無い場合でもフィルタで煙を吸着処理することができる。
【００１７】
［請求項４について］
排煙通路の出口であるブロワケーシングの径小筒部から出た煙は、ドーム状部の周壁に形成された連通穴から、基部部材の内円筒部とドーム状部との間の空間に入り、網上に配される活性炭に到達して吸着する。
活性炭を通過して浄化された空気は、蓋部材の円筒部と、基部部材の内円筒部との隙間を通り、蓋部材の円筒部の空気吹出穴からフィルタ外へ出る。
基部部材の内円筒部とドーム状部との間の空間に煙を導き、流速を遅くするとともに高密度にしてから活性炭に送り込む構成であるので、効率良く、活性炭に煙を吸着させることができる。
【００１８】
［請求項５について］
喫煙を行う場合には、煙案内補助具を煙案内ガイドの下方に配置し、ブロワを作動させる。
喫煙者は、立設板の正面に開口する煙吹き込み口から煙案内補助具へ煙草の煙を吹き込む。
煙案内補助具の内底側に配設され、後方に向かって斜面の高さが高くなっていく傾斜板に沿って煙が煙突へ案内される。
煙突の先端開口から出た煙は、笠状の煙案内ガイド内へ吸い込まれる。
煙案内補助具を用いることにより、煙草の煙の拡散を防止できるとともに、換気扇から煙を確実に屋外へ排煙することができる。
【００１９】
［請求項６について］
煙吹き込み口は、手動または電動で開閉可能な扉である。
煙吹き込み口内への煙草の煙の吹き込みが終了した場合や、複数の喫煙者が大量に吹き込む場合には、手動または電動で扉を閉じる。
これにより、煙の逆流が防止でき、笠状の煙案内ガイド内へ煙を吸い込ませることができる。
【発明を実施するための最良の形態】
【００２０】
排煙必要時に床や机の上に載置して使用する排煙装置は、水平に延設する腕部を有するスタンドと、排煙通路内に電動式のブロワを配するとともに、径大筒部と排煙通路へ連通する径小筒部とを同軸状にケーシング上面側に形成し、腕部に懸下されるブロワケーシングと、このブロワケーシングの下部に取り付けられ、下方に向かって断面積が増大する笠状の煙案内ガイドとを備える。
【００２１】
排煙ホースが届く範囲に換気扇が有る場合には、ブロワケーシングの径小筒部に排煙ホースのホース基端を嵌め込むとともに、換気扇の近傍にホース先端を臨ませる。これにより、煙は、排煙ホース内を通って換気扇の近傍に臨むホース先端から吐出し、換気扇から屋外へ排煙される。
【００２２】
排煙ホースが届く範囲に換気扇が無い場合には、フィルタ下面の中央に設けられる連通穴付きの凹部を径大筒部へ嵌め込んで、中空の内部に煙吸着剤を封入したフィルタをブロワケーシングに取り付ける。これにより、煙は、凹部の連通穴から中空の内部に進入し、フィルタ内に封入された煙吸着剤に吸着する。
【実施例１】
【００２３】
本発明の実施例１（請求項１、３、５に対応）を図１および図２に基づいて説明する。  排煙装置Ａは、腕板１１を有するスタンド１と、腕板１１から懸下されるブロワケーシング２と、ブロワケーシング２の下部に取り付けられる煙案内ガイド３と、煙４０を換気扇４１に導くための排煙ホース４とを備え、排煙必要時に床等に置いて使用する。
【００２４】
スタンド１は金属で形成され、裏面が床に当接するＵ字状の脚板１２と、脚板１２に溶接された円筒管１０内から立設する伸縮ポール１３、１４と、長さの調節を行うための調整リング１５と、水平方向に延設する腕板１１と、腕板１１を支持する支棒１６とを備える。
【００２５】
ブロワケーシング２は、プラスチックで形成され、下端に鍔２１を周設した円筒状の下部ケーシング２２と、この下部ケーシング２２の円筒内に取り付けられる電動式のブロワ２３と、径大筒部２４と径小筒部２５とを上面側に同軸状に形成し、下部ケーシング２２の円筒部に嵌め込まれる上部ケーシング２６とを備える。
【００２６】
このブロワケーシング２の上部には、金属製の棒状体５が取り付けられている。
この棒状体５は、ターンバックル５０、５０を用いて、支棒１６の横棒１７にブロワケーシング２を懸下している。なお、ターンバックル５０、５０の外側に取り付けたクリップ（図示せず）により、ターンバックル５０、５０の外れを防止している。
棒状体５の上部には、抜けや折れ曲がりを防止するため、排煙ホース４を通すための輪状部５１が形成されている。
【００２７】
ブロワ２３は、ＡＣ−１００Ｖで作動する交流モータと、この交流モータにより駆動されて回転する複数の羽とを備える。なお、スイッチ２８により、オン／オフすることができる。
【００２８】
下部ケーシング２２の鍔２１および円筒部と、上部ケーシング２６の円筒部および径小筒部２５とにより排煙通路が形成されている。なお、鍔２１が排煙通路の入口であり、径小筒部２５が排煙通路の出口である。
【００２９】
煙案内ガイド３は、プラスチックで形成され、下方に向かって断面積が増大する笠状を呈する。この煙案内ガイド３は、調整リング１５により、後述するホットプレート６２から所望の高さ（数十ｃｍ〜数ｍ上方）に配される。
【００３０】
排煙ホース４は、可撓性に優れた中空の塩化ビニールで形成されている。この排煙ホース４は、ホース基端４２がブロワケーシング２の上部ケーシング２６の径小筒部２５に嵌め込まれている。また、ホース先端４３が換気扇４１の近傍に臨む様に配されている。  なお、６１は焼くと煙４０が発生する肉、６２は肉６１を焼くためのホットプレート、６３はホットプレート６２を置くためのテーブルである。
【００３１】
排煙装置Ａは、以下の様にして使用する。
テーブル６３上のホットプレート６２で肉６１を焼く場合等の排煙必要時には、床に排煙装置Ａを載置する。
調整リング１５を回して伸縮ポール１４を伸ばし、煙案内ガイド３の高さを調節する。  排煙ホース４のホース基端４２をブロワケーシング２の径小筒部２５に嵌め込み、ホース先端４３を換気扇４１の近傍に臨ませる。
スイッチ２８をオンしてブロワ２３を作動させる。
空気がブロワケーシング２内に吸引され、煙案内ガイド３内へ煙４０が吸い込まれる。  煙案内ガイド３内へ吸い込まれた煙４０はブロワケーシング２内に入り、排煙ホース４を通ってホース先端４３から吐出し、換気扇４１から屋外へ排煙される。
【００３２】
本実施例の排煙装置Ａは、以下の利点を有する。
排煙装置Ａは、Ｕ字状の脚板１２を有するスタンド１で床等に自立可能であるので可搬性に優れ、排煙が必要な場所に容易に設置することができる。
排煙装置Ａは、排煙ホース４が届く範囲に換気扇４１が存在する場合に排煙が可能であり、排煙が必要な場合にスイッチ２８をオンすれば、煙４０を室外へ排煙することができる。
【実施例２】
【００３３】
つぎに、本発明の実施例２（請求項２、３、４、６に対応）を、図３および図４に基づいて説明する。
図３に示す如く、煙草の煙８０の排煙に好適な排煙装置Ｂは、排煙装置Ａの煙案内ガイド３の下方に煙案内補助具８を配置して構成される。
【００３４】
煙案内補助具８は、図３および図４に示す如く、煙突８１を立設した天板８２と、上端が天板８２に連結され、正面に扉８３を設けた立設板８４とを備え、後方に向かって斜面の高さが高くなっていく傾斜板８５を内底側に配設している。扉８３は、観音開きであり、手動で開くことにより煙吹き込み口となる。
【００３５】
排煙装置Ｂは、以下の様にして使用する。
喫煙による煙８０の排煙が必要な場合には、床に排煙装置Ａを設置し、その煙案内ガイド３の下方に煙案内補助具８を配置する。
煙案内ガイド３の高さおよび位置を調節する。
排煙ホース４のホース基端４２をブロワケーシング２の径小筒部２５に嵌め込み、ホース先端４３を換気扇４１の近傍に臨ませ、ブロワ２３を作動させる。
【００３６】
喫煙者が扉８３を左右に開け、煙吹き込み口から煙草の煙８０を煙案内補助具８内へ吹き込む。
傾斜板８５に沿って煙８０が煙突８１へ案内される。
煙突８１の先端開口から出た煙８０は、煙案内ガイド３内へ吸い込まれる。
【００３７】
本実施例の排煙装置Ｂは、以下の利点を有する。
排煙装置Ｂは、煙案内補助具８を用いることにより、煙草の煙８０の拡散を防止できるとともに、換気扇４１から煙草の煙８０を確実に屋外へ排煙することができる。なお、排煙ホース４が届く範囲に換気扇が存在する場合に排煙装置Ｂを使用できる。
扉８３が手動で開閉可能であるので、煙草の煙８０の吹き込みが終了した場合や、複数の喫煙者が大量に吹き込む場合には、閉じることにより、煙８０の逆流が防止でき、煙案内ガイド３内へ煙８０を確実に吸い込ませることができる。
【実施例３】
【００３８】
つぎに、本発明の実施例３（請求項２、３、４に対応）を、図５〜図７に基づいて説明する。
図５に示す如く、排煙装置Ｃは、腕板１１を有するスタンド１と、腕板１１から懸下されるブロワケーシング２と、ブロワケーシング２の下部に取り付けられる煙案内ガイド３と、ブロワケーシング２の上部に取り付けられるフィルタ７とを備え、排煙必要時に床等に置いて使用する。
【００３９】
本実施例では、スタンド１の脚板１８は略エ字状である。
これは、重量物１９を脚板１８の短辺面側に載せたり、脚板１８を家具の隙間等へ挿入して、排煙装置Ｃの転倒防止を図るためである。
【００４０】
フィルタ７は、図７に示す如く、ドーム状部７１、このドーム状部７１を同軸状に包囲する内円筒部７２を有する基部部材７３と、内円筒部７２の外周部に環装される消臭剤を担持させた、円環状の綿状体７４と、ドーム状部７１の上端面に網下面が支持され、内円筒部７２内に配される網７５と、網７５上に配される円板状の活性炭７６と、円筒部７７および円筒部７７の上部を塞ぐ天板部７８からなる蓋部材７９とにより構成される。
【００４１】
ドーム状部７１は、基部部材７３の底板部から上方向へ延設した天板付きの円筒体であり、周壁に複数の連通穴７１ａを周設している。
活性炭７６は、煙吸着剤である活性炭の粉体を円板状に固めたものである。
蓋部材７９の円筒部７７は、内円筒部７２より径大であり、四箇所の下部外周に複数の空気吹出穴７７ａを形成している。なお、空気吹出穴７７ａを形成した円筒部７７の外壁には、空気吹出穴７７ａの吹き出し方向を上方に変移させるための円弧状の有底ガイド７７ｂ（四個）が取り付けられている。
蓋部材７９の天板部７８には、蓋部材７９と基部部材７３との着脱を容易に行うための把手７０が取り付けられている。
【００４２】
このフィルタ７は、基部部材７３の底板部のドーム状部７１の裏側の凹部へ、上部ケーシング２６の径大筒部２４を嵌め込むことにより、ブロワケーシング２へ取り付けられている。
【００４３】
排煙装置Ｃは、以下の様にして使用する。
テーブル６３上のホットプレート６２で肉６１を焼く場合等の排煙必要時には、床に排煙装置Ｃを載置する。
調整リング１５を回して伸縮ポール１４を伸ばし、煙案内ガイド３の高さを調節する。  フィルタ７をブロワケーシング２の上部へ取り付ける。
スイッチ２８をオンしてブロワ２３を作動させる。
空気がブロワケーシング２内に吸引され、煙案内ガイド３内へ煙４０が吸い込まれる。  煙案内ガイド３内へ吸い込まれた煙４０はブロワケーシング３内に入り、ドーム状部７１の連通穴７１ａからフィルタ７の環状空間７ａ内へ進入する。
環状空間７ａ内に進入した煙４０は、網７５の下側から上側へ抜け、活性炭７６を通過する際に吸着する。
【００４４】
浄化された空気は、フィルタ７の基部部材７３の内円筒部７２と、蓋部材７９の円筒部７７との隙間を、上方から下方へ抜けて綿状体７４を通過して消臭され、空気吹出穴７７ａから外部へ出る。なお、有底ガイド７７ｂにより、消臭空気は上方へ吹き出される。
【００４５】
本実施例の排煙装置Ｃは、以下の利点を有する。
排煙装置Ｃは、略エ字状の脚板１８を有するスタンド１で床等に立設可能であるので可搬性に優れ、排煙が必要な場所に容易に設置することができる。なお、脚板１８が略エ字状であるので、重量物１９を脚板１８の短辺面側に載せたり、脚板１８を家具の隙間等へ挿入することにより、転倒防止を図ることができる。なお、脚板１８の位置をテーブル６３と反対側にすることにより、脚板１８が邪魔にならない。
排煙装置Ｃは、排煙ホースが届く範囲に換気扇が存在しない場合でも排煙処理が可能であり、排煙が必要な場合にスイッチ２８をオンすれば、煙４０をフィルタ７で吸着処理し、綿状体７４で脱臭処理することができる。
【産業上の利用可能性】
【００４６】
排煙装置は、換気扇が利用可能な場合には換気扇を有効に使って煙を室外へ排煙でき、換気扇が利用できない場合にはフィルタで煙を吸着処理することができる。
【図面の簡単な説明】
【００４７】
【図１】本発明の実施例１に係る排煙装置の使用状態を示す説明図である。
【図２】その排煙装置の要部拡大図である。
【図３】本発明の実施例２に係る排煙装置の使用状態を示す説明図である。
【図４】その排煙装置に用いる煙案内補助具の構造を示す斜視図である。
【図５】本発明の実施例３に係る排煙装置の使用状態を示す説明図である。
【図６】その排煙装置の要部断面図である。
【図７】その排煙装置に用いるフィルタの構造を示す分解図である。
【符号の説明】
【００４８】
Ａ、Ｂ、Ｃ  排煙装置
１  スタンド
２  ブロワケーシング
３  煙案内ガイド
４  排煙ホース
７  フィルタ
８  煙案内補助具
１１  腕板（腕部）
２３  ブロワ
２４  径大筒部
２５  径小筒部
４１  換気扇
４２  ホース基端
４３  ホース先端
７１  ドーム状部
７１ａ  連通穴
７２  内円筒部
７３  基部部材
７５  網
７６  活性炭
７７  円筒部
７７ａ  空気吹出穴
７８  天板部
７９  蓋部材
８１  煙突
８２  天板
８３  扉（煙吹き込み口）
８４  立設板
８５  傾斜板
【図１】
2005090841.tif 000003
【図２】
2005090841.tif 000004
【図３】
2005090841.tif 000005
【図４】
2005090841.tif 000006
【図５】
2005090841.tif 000007
【図６】
2005090841.tif 000008
【図７】
2005090841.tif 000009